【手続補正書】
【提出日】平成15年10月2日(2003.10.2)
【手続補正１】
【補正対象書類名】明細書
【補正対象項目名】発明の名称
【補正方法】変更
【補正の内容】
【発明の名称】周波数低倍回路及びそれを用いた無線通信装置


【手続補正２】
【補正対象書類名】明細書
【補正対象項目名】特許請求の範囲
【補正方法】変更
【補正の内容】
【特許請求の範囲】
【請求項１】
中間信号又は変調信号を基本周波数又は基本周波数の逓倍周波数の搬送周波数の信号で搬送信号に変換する周波数変換部と上記周波数変換部の出力信号を電力増幅して伝送出力する増幅回路をもつ無線通信装置であって、
上記周波数変換部が、単一の基本周波数の発振信号を発生する局所発振回路と、制御信号によって上記発振信号又は上記発振信号を基本周波数の逓倍周彼数の信号に変換した信号を切り替えて発生する周波数逓倍回路と、上記周波数逓倍回路の出力と上記中間信号又は変調信号とを混合し上記増幅回路に入力する送信用周波数変換回路と有し、上記周波数逓倍回路が、制御信号によって、線形、非線形動作が切り換えられる増幅素子と、上記増幅素子の出力側に所定の逓倍波を阻止するフィルタ回路をスイッチによってオン／オフすることによって、上記基本周波数又は逓倍周波数の信号を出力する出力回路を設けて構成されたことを特徴とした無線通信装置。
【請求項２】
第１の搬送周波数又は第１の搬送周波数の逓倍の搬送周波数の受信無線信号を電力増幅する増幅回路と、上記増幅回路の出力を中間信号又は復調信号に変換する周波数変換部とをもつ無線通信装置であって、
上記周波数変換部が、単一の基本周波数の発振信号を発生する局所発振回路と、制御信号によって上記発振信号の信号又は上記発振信号の周波数の逓倍周波数の信号に変換した信号を切り替えて発生する周波数通倍回路と、上記周波数逓倍回路の出力と上記増幅回路の出力とを混合し上記中間信号を得る周波数変換回路と有し、上記周波数逓倍回路が、第１の制御信号によって、線形、非線形動作が切り換えられる増幅素子と、上記増幅素子の出力側に所定の逓倍波を阻止するフィルタ回路をスイッチによってオン／オフすることによって、上記基本波又は上記逓倍周波数の信号を出力する出力回路を設けて構成されたことを特徴とした無線通信装置。
【請求項３】
上記周波数逓倍回路の出力回路は、第２の制御信号によって第１のフィル夕がオン／オフされ第１の増幅素子の出力を第２の増幅素子に入力する段間回路と、上記第２の増幅素子の出力を第３の制御信号によって第2のフィル夕がオン／オフされ、上記基本周波数又は遍倍波周波数の信号を上記周波数変換回路に入力する回路とを有することを特徴とする請求項１又は２記載の無線通信装置。
【請求項４】
第１の制御信号によって、線形、非線形動作が切り換えられる増幅素子と、上記増幅素子の出力側に所定の逓倍波を阻止するフィルタ回路を第２の制御信号によって駆動されるスイッチによって接続、非接続して、基本波、逓倍波を選択的に出力するように出力回路を設けて構成されたことを特徴とする周波数逓倍回路。
【請求項５】
第１の制御信号によって、線形、非線形動作が切り換えられる第１の増幅素子と、上記第1の増幅素子の出力を第２の増幅素子に結合する第1段間回路と、上記第２の増幅素子の出力を出力端子に結合する第２段間回路とから成り、上記第１段間回路が第２の制御信号によって第１のフィルタ回路を開閉し、上記線形動作のとき、第１段間回路を伝送線路とし、上記非線形動作のとき、基本波を減衰する回路とするように構成され、上記第２段間回路が、第２の制御信号によって第２のフィルタ回路を開閉し、上記線形動作のとき、第２段間回路を逓倍波を減衰させ、上記非線形動作のとき、上記第２のフィルタ回路を分離するように構成されたことをことを特徴とする周波数逓倍回路。
【請求項６】
基本周波数の信号を入力し、線形動作又は非線形動作を第１の制御信号によって選択的に行う第１の増幅素子と、上記第１増幅素子の出力を直流遮断容量素子を介して第２の増幅素子に結合する第１の伝送線路と、第２の増幅素子の出力に直流遮断容量素子を介して出力端子に結合する第２の伝送線路と、上記第１の伝送線路に第２の制御信号によって開閉される第１のスイッチを介して結合される上記基本周波数の信号を減衰させる先端開放線路と、上記第２の伝送線路に第３の制御信号によって開閉される第２のスイッチを介して結合される上記基本周波数の２逓倍波の信号に対して位相が９０度の奇数倍となる先端開放線路とを有して構成されたことを特徴とする周波数逓倍回路。
【請求項７】
周波数変換回路と、
単一の局所発振回路と、
上記周波数変換回路と上記単一の局所発振回路との間に接続され、線形動作および非線形動作のいずれかを選択的に行う増幅素子と周波数通過特性が可変である回路とを直列接続して構成された周波数低倍回路と
を具備してなることを特徴とする無線通信装置。
【手続補正３】
【補正対象書類名】明細書
【補正対象項目名】０００８
【補正方法】変更
【補正の内容】
【０００８】
特に、上記周波数低倍回路は、第１の制御信号によって、線形、非線形動作に切り替えられる増幅素子と、上記増幅素子の出力を第２の制御信号によって、通過特性の異なる回路を構成、選択し、基本波又はその逓倍波を選択的に出力する構成とした。


【手続補正４】
【補正対象書類名】明細書
【補正対象項目名】０００９
【補正方法】変更
【補正の内容】
【０００９】
本発明の無線通信装置は、局所発振回路が単一であり、装置の経済化、小型化を実現すると共に、周波数変換部を構成する周波数逓倍回路が、線形、非線形動作が選択的に行われる増幅素子と通過特性の異なる回路を直列接続して構成しているため、図１で説明したような、不要波、異常発振の発生を防止できる。


【手続補正５】
【補正対象書類名】明細書
【補正対象項目名】００１１
【補正方法】変更
【補正の内容】
【００１１】
周波数ｆ１の信号（基本波）に対応する送信電力増幅回路8−1、送信電力増幅回路8−1の出力端子に接続された送信周波数帯域制限回路9−1、無線周波数ｆ２の信号（逓倍波）に対応する送信電力増幅回路8−2、送信電力増幅回路8−2の出力端子に接続された送信周波数帯域制限回路9−2と送信電力増幅回路8−1、送信電力増幅回路 8 − 2 の入力端子に接続され、制御端子１７により伝送路を切り換える切り換えスイッチ１１をもつ増幅回路１２と、無線周波数ｆ１、ｆ２に対応し、変調信号端子１８と局所発振信号入力端子２０を持ち、出力が切り換えスイッチ１１に接続された広帯域送信用周波数変換回路（以下単に、周波数変換回路と称ぶ）１６と周波数変換回路１６の局所発振信号入力端子２０と局所発振回路１４の出力端子の間に周波数制御端子１９に印加する電圧信号レベルにより動作が変わる周波数逓倍回路１５をもつ。


【手続補正６】
【補正対象書類名】明細書
【補正対象項目名】００１２
【補正方法】変更
【補正の内容】
【００１２】
周波数ｆ１を使って信号を送信する場合、変調信号ｍｔは変調回路と各回路の制御機能をもつ回路１３から変調信号入力端子１８を介して周波数変換回路16へ入力される。一方、局所発振回路１４から出力された周波数がLt ［Hz］の局所発振信号は周波数逓倍回路１５に入力される。このとき、回路１３からは周波数制御端子19を介して、入力された信号に対して低損失回路又は増幅回路として動作する電圧信号レベルが印加されるため、局所発振信号入力端子２０には周波数Lt［Hz］の局所発振信号が入力される。


【手続補正７】
【補正対象書類名】明細書
【補正対象項目名】００１４
【補正方法】変更
【補正の内容】
【００１４】
次に、無線周波数ｆ２を使って信号を送信する場合、変調信号ｍｔは回路１３から変調信号入力端子１８を介して周波数変換回路16へ入力される。一方、局所発振回路１４から出力された周波数がLt［Hz］の局所発振信号は周波数逓倍回路１５に入力される。このとき、回路１３からは周波数制御端子１９を介して、入力された信号に対して周波数逓倍回路として動作する電圧信号が印加されるため、局所発振信号入力端子２０には（2×Lｔ）［Hz］の局所発振信号が入力される。周波数変換回路16では入力された変調信号mｔと周波数（2×Lｔ）［Hz］の局所発振信号によって、周波数ｆ２＝（ｍｔ＋（2×Lt））［Hz」の信号を出力する。